(57)【要約】【課題】  ジャングルジムのパイプ交差部において１対のパイプをボルト・ナット締めするにあたり、パイプ外にボルト頭部と袋ナットの頭が出っ張っている。この不都合を解消することを課題とする。【解決手段】  ジャングルジムのパイプ交差部６の締結装置において、一方のパイプに通しボルト頭部５０の第１の嵌合孔１０を穿設する。雌ねじ部７０、管状部７１、外向フランジ７２が連続してなるブラインドナット７の雌ねじ部７０と管状部７１とを他方のパイプ内に収容するとともに管状部７１を他方のパイプの内面にかしめてブラインドナット７を固定する。外向フランジ７２を他方のパイプの外面に添接するとともに、外向フランジ７２を１対のパイプ間に介在させた座金４に穿った第２の嵌合孔４３に嵌入する。通しボルト５を一方のパイプから座金４を介して雌ねじ部７０の雌ねじ７３に螺入するとともに通しボルト頭部５０を第１の嵌合部１０に嵌入する。【選択図】  図１
2016065609.tif 000002
【特許請求の範囲】
【請求項１】
直角方向に交差する１対の円筒状のパイプ間に、一方の外側面が前記一方のパイプに添接するとともに他方の外側面が前記他方のパイプに添接する座金を介在させ、前記１対のパイプを前記座金の中心孔を介して通しボルトで締結するジャングルジムのパイプ交差部の締結装置において、前記一方のパイプに前記通しボルト頭部の第１の嵌合孔を穿設し、また雌ねじ部、管状部、外向フランジが連続してなるブラインドナットの前記雌ねじ部と管状部とを前記他方のパイプ内に収容するとともに前記管状部を前記他方のパイプの内面にかしめて前記ブラインドナットを固定し、前記外向フランジを前記他方のパイプの外面に添接するとともに、前記外向フランジを前記座金に穿った第２の嵌合孔に嵌入し、前記通しボルトを前記一方のパイプから前記座金を介して前記雌ねじ部の雌ねじに螺入するとともに前記通しボルト頭部を前記第１の嵌合部に嵌入することを特徴とするジャングルジムのパイプ交差部における締結装置。
【請求項２】
直角方向に交差する１対のパイプが、それぞれ垂直パイプと縦パイプとの組合せ、前記垂直パイプと横パイプとの組合せおよび前記縦パイプと前記横パイプとの組合せの三方向交差であり、前記いずれのパイプの組合せにおけるいずれもの座金の外形を四角形に形成するとともに各角に丸みをつけ、前記座金の内向端を各パイプより延出し、前記延出部を前記各組合せのパイプ間隙Ｘの1/2の距離ｘに設定することを特徴とする請求項１のジャングルジムのパイプ交差部における締結装置。
【発明の詳細な説明】
【技術分野】
【０００１】
本発明は幼稚園の園庭や保育所等の子供用施設に据え付けられるジャングルジムの組立に用いられるパイプ交差部の締結装置に関する。
【背景技術】
【０００２】
従来より前記ジャングルジムにおいては、直角方向に交差する１対のパイプが、それぞれ垂直パイプと縦パイプとの組合せ、垂直パイプと横パイプとの組合せおよび縦パイプと横パイプとの組合せの三方向交差であり、下記の特許文献１で示されるように直角方向に交差する１対の円筒状のパイプ間に、一方の外側面が一方のパイプに添接するとともに他方の外側面が他方のパイプに添接する座金、特に外形が円形の座金を介在させ、１対のパイプを前記円形座金の中心孔を介して通しボルトで締結するものが知られている。
【０００３】
この従来例は通しボルトの頭が一方のパイプの外面上に突出しているとともにナットを頭付袋ナットとし、この袋ナットを他方のパイプの外側から袋ナット挿通孔を介して螺子部を前記他方のパイプ内に入れ、前記通しボルトを螺着するもので、袋ナットの頭が他方のパイプの外側に突出している。
【先行技術文献】
【特許文献】
【０００４】
【特許文献１】特開平２００６−２５０２１３号公報。
【非特許文献】
【０００５】
【非特許文献１】なし
【発明の概要】
【発明が解決しようとする課題】
【０００６】
従来の交差部ではいずれもボルト頭、袋ナットの頭がパイプの表面に出っ張り、しかもこれらは極めて多数の個所にあり、子供逹が手足をぶつけたり、衣服を破損したり、不都合である。また従来の外形が円形の座金だと交差する座金間に大きな隙間ができてしまい、たとえ座金を四角形にしても座金の長さを組立パイプの直径と同径にすると、交差する座金間に指１本分の隙間ができ、指を突っ込んでしまう危険性がある。
本発明は前記不都合を解決することを目的とする。
【課題を解決するための手段】
【０００７】
本発明は、第１に直角方向に交差する１対の円筒状のパイプ間に、一方の外側面が前記一方のパイプに添接するとともに他方の外側面が前記他方のパイプに添接する座金を介在させ、前記１対のパイプを前記座金の中心孔を介して通しボルトで締結するジャングルジムのパイプ交差部の締結装置において、前記一方のパイプに前記通しボルト頭部の第１の嵌合孔を穿設し、また雌ねじ部、管状部、外向フランジが連続してなるブラインドナットの前記雌ねじ部と管状部とを前記他方のパイプ内に収容するとともに前記管状部を前記他方のパイプの内面にかしめて前記ブラインドナットを固定し、前記外向フランジを前記他方のパイプの外面に添接するとともに、前記外向フランジを前記座金に穿った第２の嵌合孔に嵌入し、前記通しボルトを前記一方のパイプから前記座金を介して前記雌ねじ部の雌ねじに螺入するとともに前記通しボルト頭部を前記第１の嵌合部に嵌入することを特徴とするものである。
【０００８】
本発明は前記第１の発明に加えて、直角方向に交差する１対のパイプが、それぞれ垂直パイプと縦パイプとの組合せ、前記垂直パイプと横パイプとの組合せおよび前記縦パイプと前記横パイプとの組合せの三方向交差であり、前記いずれのパイプの組合せにおけるいずれもの座金の外形を四角形に形成するとともに各角に安全性を良好にするため丸みをつけ、前記いずれもの座金の内向端を各パイプの直径より延出し、前記延出部を前記各組合せのパイプ間隙Ｘの1/2の距離ｘに設定することを特徴とするものである。
【発明の効果】
【０００９】
第１の発明によれば、通しボルトの頭部が一方のパイプから出っ張ることがないとともにナットがブラインドナットなので、他方のパイプの内部に収まって固定し、しかもナットの外向フランジが座金内に嵌入し、ボルト・ナットがパイプから突出することがなく、子供逹が手足をぶつけたり、衣服を挟んだりすることがなく、安全である。
【００１０】
第２の本発明によれば三方向交差部における座金間が小さくなり、指を挟むことがなく安全であり、しかも極めて多数の座金は均一であり、大量生産により安価で提供することができる。
【図面の簡単な説明】
【００１１】
【図１】図３におけるＡ−Ａ部分拡大断面図である。
【図２】本発明例の交差部の斜視図である。
【図３】同上の平面図である。
【図４】同上の正面図である。
【図５】同上の右側面図である。
【図６】本発明例で使用される座金の斜め右方向からの斜視図である。
【図７】同上の斜め左方向からの斜視図である。
【図８】本発明のジャングルジム全体の斜視図である。
【発明を実施するための形態】
【００１２】
図８で示すようにジャングルジムを構成するパイプは多数本の垂直パイプ１、縦パイプ２、横パイプ３であり、いずれも円筒状のスチール製で、両端を塞いであり、これら多数本のパイプ１、２、３は多数の個所で交差している。
【００１３】
交差部６はいずれも直角方向に交差する垂直パイプ１と縦パイプ２との組合せ、垂直パイプ１と横パイプ３との組合せおよび縦パイプ２と横パイプ３との組合せの三方向交差である。
【００１４】
したがって以下の説明で、垂直パイプ１と縦パイプ２との組合せにおいては、垂直パイプ１が「一方のパイプ」、縦パイプ２が「他方のパイプ」を意味し、垂直パイプ１と横パイプ３との組合せでは、横パイプ３が「一方のパイプ」、垂直パイプ１が「他方のパイプ」を意味し、縦パイプ２と横パイプ３との組合せでは、縦パイプ２が「一方のパイプ」、横パイプ３が「他方のパイプ」を意味する。
【００１５】
直角方向に交差する１対のパイプ間に図１・２、図６・７で示すように一方の外側面４０が一方のパイプの曲面に添接するとともに他方の外側面４１が他方のパイプに添接する硬質プラスチック製の座金４を介在させ、この１対のパイプを座金４の中心孔４２を介して通しボルト５で締結する。また全ての座金４は同形・同寸の四角形であり、各座金４の角に丸みをつけてある。
【００１６】
なお図１では符号が、垂直パイプ１と縦パイプ２との組合せの場合で説明しているが、前記他の２方向のパイプの組合せも締結構造は、全く同一であり、重複する図面と詳細な説明は省略してある。
【００１７】
具体的には、一方のパイプに通しボルト頭部５０の嵌合孔１０を穿設し、図１の仮想線で示すように雌ねじ部７０、薄肉の管状部７１、外向フランジ７２が連続してなるブラインドナット７の雌ねじ部７０と管状部７１を他方のパイプに穿ったボルト挿通孔８ａから他方のパイプの内部に挿入し、図示を省略した周知の締結工具（原理的にはブラインドナット７を回転しないように押さえ付けておき、雄ねじを管状孔７１に挿通するとともに雌ねじ７３に螺入して行き、雌ねじ部７０を引き上げるとともに管状部７１を図示の実線のように拡径するように塑性変形させる工具）で、管状部７１をかしめて他方のパイプの内面にブラインドナット７を固定する。
【００１８】
ブラインドナット７の外向フランジ７２を他方のパイプの外面に添接するとともに外向フランジ７２を座金４に穿った嵌合孔４３に嵌入する。
【００１９】
一方のパイプに通しボルト５の挿通孔として通しボルト頭部５０の嵌合孔１０を凹設し、座金４の中心孔４２と連通するボルト挿通孔１１を穿つ。
【００２０】
一方のパイプの嵌合孔１０、ボルト挿通孔１１、中心孔４２、ブラインドナット７０に通しボルト５を挿通するとともに雌ねじ７３に螺着し、通しボルト頭部５０を嵌合孔１０に埋設する。
【００２１】
これにより通しボルト頭部５０は一方のパイプから突出することがなく、ブラインドナット７は他方のパイプ内に収まり、パイプ外に突出することがない。
【００２２】
例えば各パイプの直径が２５．４mmの場合、各座金４を四角形に形成してもその長さを各パイプの直径と同寸とし、前記パイプ交差部で、各相対する１対のパイプを三方向交差させると、各座金４、４、４間に指１本分の隙間ができることが試作中に確認された。
【００２３】
本発明例では各座金４を延出した。具体的には図５で示すように座金４の内向端、つまり延出部４ａを各組合せたパイプの隙間Ｘの1/2の距離ｘになるまで延出したものである。このようにすればパイプ隙間が小さくなるとともに、座金４、４、４が干渉しあわずにすむ。
【符号の説明】
【００２４】
１  パイプ
２  パイプ
３  パイプ
４  座金
４ａ  延出部
５  通しボルト
６  パイプ交差部
７  ブラインドナット
１０  第１の嵌合孔
４０  外側面
４１  外側面
４２  中心孔
４３  第２の嵌合孔
５０  通しボルト頭部
７０  雌ねじ部
７１  管状部
７２  外向フランジ
７３  雌ねじ
Ｘ  パイプ間隙
ｘ  距離
【図１】
2016065609.tif 000003
【図２】
2016065609.tif 000004
【図３】
2016065609.tif 000005
【図４】
2016065609.tif 000006
【図５】
2016065609.tif 000007
【図６】
2016065609.tif 000008
【図７】
2016065609.tif 000009
【図８】
2016065609.tif 000010